(57)【要約】【課題】多種機能を有するブルートゥースモジュール音源入出力装置を提供する。【解決手段】本考案のブルートゥースモジュール音源入出力装置は、ブルートゥースモジュール１１と、音源処理装置１２と、自動信号切換装置１３と、手動信号切換装置１４と、音声入出力接続ポート１５、マイク増幅回路１６と、音源入力接続ポート１７とからなり、使用者がブルートゥースモジュール音源入出力装置１を使用する場合において、ブルートゥースモジュールを有する携帯電話４４を受聴できるだけでなく、電話を受聴しないとき、ブルートゥースモジュール音源入出力装置１を利用して音楽再生装置からの音声を聴くことができ、さらに、音源入力接続ポート１７と接続されたマイク１６１、または、対になったブルートゥース発信器／受信器５が接続されたマイク１６１を使用して、インタビュー等の録音作業を行なうことができる。【選択図】  図１
0003116881.tif 000002
【実用新案登録請求の範囲】
【請求項１】
ブルートゥースモジュールと、音源処理装置と、自動信号切換装置と、手動信号切換装置と、音声入出力接続ポート、音声増幅回路と、音源入力接続ポートとからなり、
前記ブルートゥースモジュールは、音声入出力接続ポートと接続され、接続されたマイクからマイク増幅回路を経由して音声信号を入力し、ブルートゥース無線通信プロトコルに基づいて音源の無線信号の送受信を行い、
前記音源処理装置は、音源処理装置に接続されたＡ２ＤＰおよびＨＦＰを有するブルートゥースモジュールと対になったＡ２ＤＰおよびＨＦＰを有するブルートゥースを有する電子製品から受信した音源および外接されたマイクからマイク増幅回路を経由して入力された音声信号を処理し、
前記自動信号切換装置は、ブルートゥースモジュール音源入出力装置に接続されたブルートゥースモジュールが、対になったブルートゥース機能を有する携帯電話または携帯電話機能を有するＰＤＡなどの電子製品からの信号および外接のマイクからマイク増幅回路を経由して入力された音声信号を受信したとき、自動的に起動され、
前記手動信号切換装置は、前記ブルートゥース音源入出力装置の電力がなくなったとき、前記ブルートゥースモジュール音源入出力装置のブルートゥースモジュールが受信し、音源処理装置に伝送されてきた音源信号を切断することができ、音源入力接続ポートに直接接続された音源から伝送されてくる音源信号に切換え、音声出力接続ポートから出力させ、
前記音声入出力接続ポートは、前記ブルートゥースモジュール音源入出力装置の音源入出力接続ポートであり、ヘッドホンまたは音声増幅機能を有する音声出力装置が接続されて音声出力が行なわれ、マイクが外接されて音声信号の入力が行なわれ、
前記音声増幅回路は、マイクからの音声を増幅処理後、前記ブルートゥースモジュール音源入出力装置のブルートゥースモジュールおよび音源処理装置に入力して全二重処理を行い、対になったブルートゥース機能を有する電子製品に送信し、
前記音源入力接続ポートは、全てのアナログ音源を送信してくる音源信号発生装置と直接接続され、音声入出力接続ポートに接続されたヘッドホンまたは音声増幅機能を有する音声出力装置に音声出力を行い、
以上の構造によって、音源信号発生装置、音声出力装置およびブルートゥースを有する電子製品が接続されたとき、無線接続によって多機能の無線通信が行なわれることを特徴とするブルートゥースモジュール音源入出力装置。
【考案の詳細な説明】
【技術分野】
【０００１】
本考案はブルートゥースモジュール音源入出力装置に関し、特に使用者がブルートゥースモジュール音源入出力装置を使用するとき、ブルートゥースモジュールを有する携帯電話を受聴できる以外に、電話を受聴しないとき、ブルートゥースモジュール音源入出力装置を利用して、ＭＰ３プレーヤーやＣＤプレーヤーなどの音楽再生装置からの音声を聴くことができ、さらに、ブルートゥースモジュール音源入出力装置上の音源入力接続ポートと接続されたマイク、または対になったブルートゥース発信器が接続されたマイクを使用して、会議報告、授業、演説またはインタビュー時の録音作業などを行なうことができるなど、多種機能を有するブルートゥースモジュール音源入出力装置に関する。
【背景技術】
【０００２】
自動車技術の進歩に伴い、自動車はもはや高嶺の花ではなく、現代人の足となっている。また、無線通信技術の発達した現代では、携帯電話は一人一台の時代となっており、益々便利になっている。しかし、自動車の運転中に携帯電話を使用することは非常に危険なことであり、事故の原因の一つにもなるので、政府はすでに運転時に携帯電話を手で持って使用すること禁止し、以前は、運転者は有線のイヤホンを携帯電話に接続して電話を使用していたが、有線のイヤホンは絡まったりするので不便であった。
【０００３】
科学技術の進歩に伴い、車内用のハンズフリーシステムは無線式のものとなってきており、その中でブルートゥース（Ｂｌｕｅ  Ｔｏｏｔｈ）技術による無線式の送受信システムはその高い安定性などの種々の理由によって、各携帯電話メーカーは次々に新たなブルートゥース携帯電話を市場に投入しており、ブルートゥースチップの価格も需要の増加に伴い、一般消費者が受け入れられる価格にまで下がった。
【０００４】
ＶＯＩＰ電話が流行しており、有線のヘッドセットをコンピュータやインターネット接続のできる電子製品に接続してコンピュータ内の音楽を聴いたり、ＭＳＮやＳＫＹＰＥなどのインターネットツールが使用されている。しかし、有線の場合、使用者の活動範囲は大幅に制限されるので、有線を無線方式にして使用者の活動範囲を広げ、便利にする必要があった。
【０００５】
ラジカセやＣＤプレーヤーなどの一般の音声出力装置は音声出力および音声入力を行なう場合、ヘッドホン、マイク、スピーカーなどの有線の装置を接続する必要があったが、使用上非常に不便であり、大きな欠点となっていた。本考案は音声出力装置の外部接続ケーブルを無線化し、便利にしたものである。
【特許文献１】特開２００２−１７１３３６号公報
【考案の開示】
【考案が解決しようとする課題】
【０００６】
本考案の目的は、使用者がブルートゥースモジュール音源入出力装置を使用するとき、ブルートゥースモジュールを有する携帯電話を受聴できる以外に、電話を受聴しないとき、ブルートゥースモジュール音源入出力装置を利用して、ＭＰ３プレーヤーやＣＤプレーヤーなどの音楽再生装置からの音声を聴くことができ、さらに、ブルートゥースモジュール音源入出力装置上の音源入力接続ポートと接続されたマイク、または対になったブルートゥース発信器が接続されたマイクを使用して、会議報告、授業、演説またはインタビュー時の録音作業などを行なうことができるなど、多種機能を有するブルートゥースモジュール音源入出力装置を提供することにある。
【課題を解決するための手段】
【０００７】
本考案のブルートゥースモジュール音源入出力装置は、ブルートゥースモジュールと、音源処理装置と、自動信号切換装置と、手動信号切換装置と、音声入出力接続ポート、音声増幅回路と、音源入力接続ポートとからなり、前記ブルートゥースモジュールは、音声入出力接続ポートと接続され、接続されたマイクからマイク増幅回路を経由して音声信号を入力し、ブルートゥース無線通信プロトコルに基づいて音源の無線信号の送受信を行い、前記音源処理装置は、音源処理装置に接続されたＡ２ＤＰおよびＨＦＰを有するブルートゥースモジュールと対になったＡ２ＤＰおよびＨＦＰを有するブルートゥースを有する電子製品から受信した音源および外接されたマイクからマイク増幅回路を経由して入力された音声信号を処理し、前記自動信号切換装置は、ブルートゥースモジュール音源入出力装置に接続されたブルートゥースモジュールが、対になったブルートゥース機能を有する携帯電話または携帯電話機能を有するＰＤＡなどの電子製品からの信号および外接のマイクからマイク増幅回路を経由して入力された音声信号を受信したとき、自動的に起動され、前記手動信号切換装置は、前記ブルートゥース音源入出力装置の電力がなくなったとき、前記ブルートゥースモジュール音源入出力装置のブルートゥースモジュールが受信し、音源処理装置に伝送されてきた音源信号を切断することができ、音源入力接続ポートに直接接続された音源から伝送されてくる音源信号に切換え、音声出力接続ポートから出力させ、前記音声入出力接続ポートは、前記ブルートゥースモジュール音源入出力装置の音源入出力接続ポートであり、ヘッドホンまたは音声増幅機能を有する音声出力装置が接続されて音声出力が行なわれ、マイクが外接されて音声信号の入力が行なわれ、前記音声増幅回路は、マイクからの音声を増幅処理後、前記ブルートゥースモジュール音源入出力装置のブルートゥースモジュールおよび音源処理装置に入力して全二重処理を行い、対になったブルートゥース機能を有する電子製品に送信し、前記音源入力接続ポートは、全てのアナログ音源を送信してくる音源信号発生装置と直接接続され、音声入出力接続ポートに接続されたヘッドホンまたは音声増幅機能を有する音声出力装置に音声出力を行い、以上の構造によって、音源信号発生装置、音声出力装置およびブルートゥースを有する電子製品が接続されたとき、無線接続によって多機能の無線通信が行なわれることを特徴とする。
【考案の効果】
【０００８】
使用者がブルートゥースモジュール音源入出力装置を使用するとき、ブルートゥースモジュールを有する携帯電話を受聴できる以外に、電話を受聴しないとき、ブルートゥースモジュール音源入出力装置を利用して、ＭＰ３プレーヤーやＣＤプレーヤーなどの音楽再生装置からの音声を聴くことができ、さらに、ブルートゥースモジュール音源入出力装置上の音源入力接続ポートと接続されたマイク、または対になったブルートゥース発信器が接続されたマイクを使用して、会議報告、授業、演説またはインタビュー時の録音作業などを行なうことができる。
【考案を実施するための最良の形態】
【０００９】
本考案をさらに詳細に示す実施例を図に沿って下記に説明する。
【００１０】
図１は本考案によるブルートゥースモジュール音源入出力装置１の機能を示すブロック図であり、本考案はブルートゥースモジュール１１と、音源処理装置（ＣＯＤＥＣ）１２と、自動信号切換装置１３と、手動信号切換装置１４と、音声入出力接続ポート１５、マイク増幅回路１６と、音源入力接続ポート１７とからなる。Ａ２ＤＰおよびＨＦＰを有するブルートゥースモジュール１１は、音声入出力接続ポート１５と接続され、外接されたマイクからマイク増幅回路１６を経由して音声信号を入力し、ブルートゥースの無線通信プロトコルに基づいて音源の無線信号の送受信を行う。ブルートゥースモジュール１１は対になったＡ２ＤＰを有するブルートゥースを有する電子製品４からの音源を無線受信でき、接続された音源処理装置１２によってアナログ信号に変換し、音源処理装置１２と接続された自動信号切換装置１３と手動信号切換装置１４とを経由し、接続された音声入出力接続ポート１５に伝送することによって音源信号が伝送され、接続されたヘッドホンまたは音声増幅機能を有する音声出力装置３から出力される。
【００１１】
音声入出力接続ポート１５は、イヤホン、ヘッドホンまたは音声増幅機能を有する音声出力装置３と接続され、音声入出力接続ポート１５は４極式の端子であり、イヤホン、ヘッドホンまたは音声増幅機能を有する音声出力装置３を接続しての音声出力およびマイク１６１を接続しての音声入力ができ、本装置と対になったブルートゥースを有する電子製品４との通話ができる。ブルートゥースモジュール１１の電源は内蔵電池（ニッケル水素電池、リチウム電池またはリチウム化合物電池などの充電電池）から供給され、充電回路１８によって電池１９に充電が行なわれるか、またはＡ２ＤＰおよびＨＦＰを有するブルートゥースモジュール１１の電源を交流電源とし、変圧器によって交流を直流に変換し、Ａ２ＤＰおよびＨＦＰを有するブルートゥースモジュール１１に電源が供給される。
【００１２】
音源処理装置１２は、本装置のＡ２ＤＰおよびＨＦＰを有するブルートゥースモジュール１１と対になったＡ２ＤＰおよびＨＦＰを有するブルートゥースを有する電子製品４から受信した音源および外接されたマイクからマイク増幅回路１６を経由して入力された音声信号を処理し、処理後、接続された自動信号切換装置１３と手動信号切換装置１４とを経由し、接続された音声入出力接続ポート１５に伝送することによって音源信号が伝送され、接続されたヘッドホンまたは音声増幅機能を有する音声出力装置３から出力される。
【００１３】
自動信号切換装置１３は、ブルートゥースモジュール音源入出力装置１のブルートゥースモジュール１１と対になったブルートゥース機能を有するパーソナルコンピュータ４１、ノートブックコンピュータ４２、ＰＤＡ４３または携帯電話などの電子製品４からの信号および外接のマイクからマイク増幅回路１６を経由して入力された音声信号を受信したとき、自動的に起動され、音源入力接続ポート１７から入力される信号を中断し、ブルートゥース機能を有する携帯電話や携帯電話機能を有するＰＤＡなどの電子製品４から伝送されてきた音源を手動信号切換装置１４に伝送し、音声入出力接続ポート１５から出力する。
【００１４】
手動信号切換装置１４は、ブルートゥースモジュール音源入出力装置１の電力がなくなったとき、この装置を用いてブルートゥースモジュール音源入出力装置１のブルートゥースモジュールが受信し、音源処理装置に伝送されてきた音源信号を切断することができ、音源入力接続ポート１７と直接接続された音源から伝送されてきた音源信号に切換え、音源出力接続ポート１５から出力する。
【００１５】
音声入出力接続ポート１５は、ブルートゥースモジュール音源入出力装置１の音源入力接続ポート１７であり、ヘッドホンまたは音声増幅機能を有する音声出力装置３を接続することにより、音声出力が行なわれ、同時に、音声入出力接続ポート１５はブルートゥースモジュール音源入出力装置１のマイク１６１による音声信号の入力が行なわれる接続ポートでもあり、マイク１６１は音声入出力接続ポート１５と接続されるか、または直接マイク増幅回路１６と接続され、音声の増幅処理が行なわれ、その後、ブルートゥースモジュール音源入出力装置１のブルートゥースモジュール１１と音源処理装置１２に入力されて全二重（Ｆｕｌｌ  Ｄｕｐｌｅｘ）処理が行なわれ、対になったブルートゥースの電子製品４に送信される。
【００１６】
マイク増幅回路１６は、音声の増幅処理を行なった後、ブルートゥースモジュール音源入出力装置１のブルートゥースモジュール１１と音源処理装置１２に入力して全二重（Ｆｕｌｌ  Ｄｕｐｌｅｘ）処理を行い、対になったブルートゥースの電子製品４に送信する。
【００１７】
音源入力接続ポート１７は、全てのアナログ音源を送信してくる音源信号発生装置２（ステレオ、ＭＰ３プレーヤー、ラジオまたはＣＤプレーヤーなど）と直接接続でき、自動信号切換装置１３を経由して手動信号切換装置１４と接続されるか、または直接手動信号切換装置１４と接続され、音声入出力接続ポート１５に接続されたヘッドホンまたは音声増幅機能を有する音声出力装置３から音声が出力される。
【００１８】
ブルートゥースを有する電子製品４は、ブルートゥース無線伝送インターフェースが元来内蔵されている電子製品４か、または無線伝送インターフェースは設けられていないが、ブルートゥース発信器／受信器５が接続された電子製品４であり、無線伝送インターフェースを有さないブルートゥースを有する電子製品４の場合、その電子製品４の音声出力インターフェースにブルートゥース発信器／受信器５を挿入または接続するだけで、本装置のブルートゥースモジュール１１と対にして無線接続して使用できる。
【００１９】
ブルートゥース発信器／受信器５はプラグまたはコネクタを有し、無線伝送インターフェースを有さない電子製品の音声出力インターフェースと接続される。このとき、ブルートゥース発信器／受信器５は無線伝送インターフェースを有さないが、ブルートゥース発信器／受信器５が接続された電子製品のアナログ信号を受信し、符号化してデジタル信号として発信し、ブルートゥースモジュール音源入出力装置１のブルートゥースモジュール１１によって受信され、音源処理装置１２によって復号化されてアナログ音源信号となり、ブルートゥース音源入出力装置１の自動信号切換装置１３、手動信号切換装置１４、音声入出力接続ポート１５、接続されたヘッドホンまたは音声増幅機能を有する音声出力装置３を経由して音声が出力される。このように、使用者は無線方式によって無線伝送インターフェースを有さないがブルートゥース発信器／受信器５を有する電子製品４からの音楽を音声出力装置３から出力させて受聴できる。
【００２０】
上述のブルートゥース発信器／受信器５内部に設置された音声信号を処理する回路モジュールはＡ２ＤＰを利用したものであり、そのプロトコルはブルートゥースの非同時伝送規格を使用することを明白に規定しており、高品質の楽曲を伝送できるプロトコルスタックソフトおよび使用方法である。本考案においては、無線ブルートゥースモジュールを使用して高品質の音楽の受聴を実現しており、モノラル音声しか受信できない従来技術によるブルートゥースイヤホンとは大きく異なる。
【００２１】
使用者がブルートゥースモジュール音源入出力装置１を使用するとき、ブルートゥースモジュールを有する携帯電話を受聴できる以外に、電話を受聴しないとき、ブルートゥースモジュール音源入出力装置を利用して、ＭＰ３プレーヤーやＣＤプレーヤーなどの音楽再生装置からの音声を聴くことができ、さらに、ブルートゥースモジュール音源入出力装置１上の音源入力接続ポートと接続されたマイク１６１、または対になったブルートゥース発信器が接続されたマイク１６１を使用して、会議報告、授業、演説またはインタビュー時の録音作業などを行なうことができる。
【００２２】
上述の説明から分かるように、本考案は進歩性、産業上の利用価値を有し、新規性を有する考案である。
【００２３】
上述の説明は本考案の実施例を示すものであり、本考案の実施範囲を限定するものではなく、本考案の主旨に基づく変更や修飾は全て本考案の範囲に含まれる。
【図面の簡単な説明】
【００２４】
【図１】本考案によるブルートゥース音源入出力装置の機能を示すブロック図である。
【符号の説明】
【００２５】
１      ブルートゥースモジュール音源入出力装置
１１    ブルートゥースモジュール
１２    音源処理装置
１３    自動信号切換装置
１４    手動信号切換装置
１５    音声入出力接続ポート
１６    マイク増幅回路
１６１  マイク
１７    音源入力接続ポート
１８    充電回路
１９    電池
２      音源信号発生装置
３      音声出力装置
４      ブルートゥースを有する電子製品
４１    パーソナルコンピュータ
４２    ノートブックコンピュータ
４３    ＰＤＡ
４４    携帯電話
５      ブルートゥース発信器／受信器
【図１】
0003116881.tif 000003